(57)【要約】【課題】構築物際の枝葉を刈り取ることが可能なヘッジトリマを提供する。【解決手段】可動刃５の先端部には幅広の先端切刃５ｃを設け、一般切刃５ｂより前方に突出する切っ先部５ｄと側面に切断刃部５ｅを設ける。下側固定板１３の先端部には一般切刃４ｂ，５ｂ及び先端切刃５ｃよりも前方に突出する枝葉誘導板１３ｂを形成する。枝葉誘導板１３ｂも斜め切欠部１３ｃを形成する。枝葉は斜め切欠部１３ｃの斜面に沿って手元側に移動させられ切断刃部５ｅと切刃４ｂとの間に収容され切断される。可動刃４，５が限界まで移動した場合でも先端切刃５ｃは枝葉誘導板１３ｂと重なっているため挟み込みによる作動停止を防止できる。【選択図】図１
2007259702.tif 000002
【特許請求の範囲】
【請求項１】
動力駆動手段を備える本体部より突出する固定板と、この固定板に支持され前記動力駆動手段より伝達される動力によって相対的な摺動運動を行ない夫々の外側縁に形成した切刃で枝などを剪定する上下２枚の可動刃を有するヘッジトリマにおいて、前記可動刃の先端部上側又は先端部下側に切刃先端より前方に突出する枝葉誘導板を設けることを特徴とするヘッジトリマ。
【請求項２】
前記可動刃は、相対的な摺動運動時にあっても前記枝葉誘導板との重合部を有する先端切刃を備えることを特徴とする請求項１記載のヘッジトリマ。
【発明の詳細な説明】
【技術分野】
【０００１】
この発明は、上下二枚の可動刃で相対的な摺動運動を行ない夫々の外側縁に形成した切刃で枝などを挟み込みながら剪定するヘッジトリマに関する。
【背景技術】
【０００２】
ヘッジトリマは、植栽された樹木等の枝葉を刈り込むために用いられるもので、例えば下記に示すような技術が開示されていた。
【特許文献１】特開２００３−８８２４５号公報
【０００３】
図９に示すように、従来のヘッジトリマ１０１は、エンジン等の動力駆動手段を備える本体部１０２と、この本体部１０２に片持梁状態で端部を固定される固定板１０３と、動力駆動手段にその基端部を連結し、動力駆動手段より伝達される動力によって相対的な摺動運動を行なう上下２枚の可動刃１０４，１０５を有し、把持手段として本体部１０２の後方に突出する後方ハンドル１０６及び固定板１０３に装着される前方ハンドル１０７を備えており、可動刃１０４，１０５の前方側部には剪定面を案内するカバー１０８が取付けられていた。
【０００４】
このような従来のヘッジトリマにおける可動刃の詳細を図１０に示す。図１０は、従来の可動刃及び固定板の組立状況を示す分解斜視図である。長手方向に摺動自在に往復動する一対の可動刃１０４，１０５は、図示しない本体部より突出する上下二枚の固定板１０３，１１３の間に配置されており、各可動刃１０４，１０５に形成する複数のガイド長孔１０４ａ，１０５ａに夫々ボルト１０９ａを貫通していた。
【０００５】
このボルト１０９ａは、固定板１０３，１１３に穿設するボルト孔１０３ａ，１１３ａを貫通し、両固定板１０３，１１３の間隔を一定に保持するためのスペーサ１１０を介在させてナット１０９ｂを用い締結されていた。
【０００６】
一対の可動刃１０４，１０５は、夫々の外側縁に切刃１０４ｂ，１０５ｂを所定間隔で突出しており、これら切刃１０４ｂ，１０５ｂは可動刃１０４，１０５の長手方向の全長にわたり、連続して一様なパターンを繰り返していた。
【０００７】
可動刃１０４，１０５は、固定板１０３，１１３の間にあって、スペーサ１１０により遊動可能な状態を維持しつつ、ガイド長孔１０４ａ，１０５ａに沿って長手方向に相対的な摺動運動を行ない、切刃１０４ｂ，１０５ｂを相互に重合・離隔することによって挟み込む垣根等の樹木の枝葉を切断していた。
【０００８】
このように固定板１０３，１１３及びボルトナット１０９ａ，１０９ｂは、可動刃１０４，１０５を遊動可能な状態で支持すると共に長手方向への往復動をガイドするための構成要素であった。
【０００９】
図９および図１０に示すヘッジトリマ１０１はハンディタイプのもので、図示しない作業者が後方ハンドル１０６及び前方ハンドル１０７を把持しながら、本体部１０２の動力によって一対の可動刃１０４，１０５を長手方向に摺動自在に往復動させ、これら可動刃１０４，１０５をその切刃１０４ｂ，１０５ｂ方向に前進させることによって樹木等の剪定作業を行っていた。
【発明の開示】
【発明が解決しようとする課題】
【００１０】
しかし、塀や建物などの構築物に沿って樹木が植栽されている場合には、最先端の切刃１０４ｂ，１０５ｂより構築物際に位置する枝は刈り取ることができなかった。これは、可動刃１０４，１０５が往復動によって構築物に衝突することを防止するためある程度先端部を構築物から離隔する必要があったこと、又先端部に衝突防止用のカバーがあって構築物に当接しながら剪定することは可能であっても最先端の切刃１０４ｂ，１０５ｂより構築物際に位置する枝を挟み込むことはできないため、このような枝葉については別途手作業にて剪定しなければならなかった。
【００１１】
この発明は、従来のヘッジトリマが有する上記の問題点を解消すべくなされたものであり、塀や建物などの構築物に沿って樹木が植栽されている場合にも構築物際の枝葉を刈り取ることが可能なヘッジトリマを提供することを目的としている。
【課題を解決するための手段】
【００１２】
上記課題を解決するため、この発明のヘッジトリマは、動力駆動手段を備える本体部より突出する固定板と、この固定板に支持され前記動力駆動手段より伝達される動力によって相対的な摺動運動を行ない夫々の外側縁に形成した切刃で枝などを剪定する上下２枚の可動刃を有するヘッジトリマにおいて、前記可動刃の先端部上側又は先端部下側に切刃先端より前方に突出する枝葉誘導板を設けることを特徴とするものである。
【００１３】
枝葉誘導板は、可動刃が遊動可能なように離隔して設置し、枝葉を切刃間に誘導するための斜め切欠部を形成する。枝葉誘導板は、固定板の先端に一体的に形成するものでもよいし、独立した板体を取り付けるものでもよい。独立した板体の場合には、固定板若しくは固定板に取付けられるカバーなどから連結部材を用いて可動刃と接触しない位置に付設する。
【００１４】
請求項２記載のヘッジトリマにおける可動刃は、相対的な摺動運動時にあっても前記枝葉誘導板との重合部を有する先端切刃を備えることを特徴とするものである。先端切刃は、一方の可動刃に形成するものであって少なくとも隣接する切刃方向の側面に刃部を設ける。
【００１５】
この先端切刃が前方側に、他方の可動刃が手元側に夫々摺動した時、先端切刃の刃部と他方の可動刃における最先端の切刃間に空隙が生じ、誘導された枝葉を収容する。その後、先端切刃が手元側に、他方の可動刃が前方側に移動すると挟み込んだ枝葉を切断する。
【００１６】
この時、枝葉誘導板の斜め切欠部と先端切刃の前面は、夫々次に切断すべき枝葉に当接する。先端切刃及び他方の可動刃が、夫々限界値まで移動した場合であっても、先端切刃は枝葉誘導板との間に空隙を発生させない幅を有する。
【発明の効果】
【００１７】
この発明のヘッジトリマは、可動刃の先端部上側又は先端部下側に切刃先端より前方に突出する枝葉誘導板を設けるので、塀や建物などの構築物に沿って樹木が植栽されている場合にも構築物際の枝葉を切刃間に誘導することができ、これを刈り取ることができる。
【００１８】
請求項２記載のヘッジトリマは、相対的な摺動運動時にあっても枝葉誘導板との重合部を有する先端切刃を備えるので、先端切刃と枝葉誘導板との間に枝葉を挟み込むことがなくなり、切断不能により作動停止状態が発生するのを防止することができる。
【発明を実施するための最良の形態】
【００１９】
次にこの発明の実施の形態を添付図面に基づき詳細に説明する。図１はこの発明のヘッジトリマにおける可動刃及び固定板の組立状況を示す分解斜視図である。長手方向に摺動自在に往復動する一対の可動刃４，５は、図示しない本体部より突出する上下二枚の固定板３，１３の間に配置されており、各可動刃４，５に形成する複数のガイド長孔４ａ，５ａに夫々ボルト９ａを貫通する。
【００２０】
このボルト９ａは、固定板３，１３に穿設するボルト孔３ａ，１３ａを貫通し、両固定板３，１３の間隔を一定に保持するためのスペーサ１０を介在させてナット９ｂを用い締結されている。上側の固定板３の下面には剪定面を案内するためのカバー８が挟み込まれる。
【００２１】
一対の可動刃４，５は、夫々の外側縁に切刃４ｂ，５ｂが突出し、摺動する際に夫々の刃先が接触するような向きで形成されている。一方の可動刃５の先端部には幅広の先端切刃５ｃを設ける。先端切刃５ｃは一般切刃５ｂより前方に突出する切っ先部５ｄを設け、隣接する一般切刃５ｂ方向の側面に切断刃部５ｅを設ける。
【００２２】
この可動刃５の下側に位置する下側固定板１３の先端部には一般切刃４ｂ，５ｂ及び先端切刃５ｃよりも前方に突出する枝葉誘導板１３ｂを形成する。枝葉誘導板１３ｂも切っ先部５ｄと同様な斜め切欠部１３ｃを形成する。
【００２３】
次に作動時における可動刃及び枝葉誘導板の位置関係を図２乃至図５に基づき説明する。図２は上面固定板を省略した可動刃の先端部拡大平面図、図３は下面固定板及び可動刃の先端部拡大底面図、図４及び図５は可動刃の摺動状態を示す先端部拡大底面図である。
【００２４】
図２及び図３は上側可動刃４が手元側(図２において左方)、下側可動刃５が前方側（図２において右方）の限界値まで移動した状態を示す。この時上側可動刃４の切刃４ｂと下側可動刃５の切刃５ｂとの間には空隙Δ0が形成されている。又、先端切刃５ｃの切断刃部５ｅと切刃４ｂとの間にも空隙Δが生じている。
【００２５】
下側可動刃５は前方に最大移動した場合であっても枝葉誘導板１３ｂの端部を越えないようにする。これにより枝葉誘導板１３ｂを構造物に当接しながら剪定しても可動刃４，５が構造物に衝突する恐れがなくなる。
【００２６】
上側可動刃４及び下側可動刃５が反対方向に移動し始めると、図４に示すように上側可動刃４の切刃４ｂと先端切刃５ｃの切断刃部５ｅの空隙Δは縮小し、この間に収容されていた枝葉は切断される。
【００２７】
更に限界値まで移動すると図５に示すように、先端切刃５ｃの切断刃部５ｅは次の切刃４ｂの近傍まで摺動することになるが、この時であっても先端切刃５ｃの前方端部は枝葉誘導板１３ｂとの重合部を保持している。
【００２８】
次にヘッジトリマの使用状況を図６に基づき説明する。図６は構築物際の植栽を剪定する際の説明図である。塀や建物などの構築物６に沿って樹木が植栽されている場合には、枝葉誘導板１３ｂを構築物６にあてがい、これをガイドとして白抜き矢印の方向にヘッジトリマを移動させる。
【００２９】
この時構築物際の樹木の枝葉７は枝葉誘導板１３ｂの斜め切欠部１３ｃに当接し、その斜面に沿って手元側に移動させられる。下側可動刃５が前方側限界まで移動した時、先端切刃５ｃの切断刃部５ｅと切刃４ｂとの間には空隙が生じているため、この空隙に誘導された枝葉７が収容される（図６（ａ））。
【００３０】
その後、先端切刃５ｃが手元側に、他方の可動刃４が前方側に移動すると挟み込んだ枝葉７は切断される（図６（ｂ））。更に先端切刃５ｃの切断刃部５ｅが手元側の限界値まで移動した時、先端切刃５ｃの前方端部は枝葉誘導板１３ｂと未だ重なっているため、枝葉７は枝葉誘導板１３ｂの斜め切欠部１３ｃと先端切刃５ｃの切っ先部５ｄで支持されている（図６（ｃ）。
【００３１】
枝葉誘導板１３ｂは、可動刃４，５から離隔して設置されているため、元々切断機能がなく、先端切刃５ｃと枝葉誘導板１３ｂとの間に枝葉が挟まってしまうとヘッジトリマが作動停止状態となってしまう。このように先端切刃５ｃと枝葉誘導板１３ｂが重合部を常に保持している構成であると、切断不能による作動停止状態が発生するのを防止することができる。
【００３２】
以上説明したヘッジトリマは可動刃の先端部下側において、下側固定板の先端に一体的に枝葉誘導板を形成する構成であるが、枝葉誘導板は可動刃の先端部上側、例えば上側固定板に一体的に設けるものでもよい。
【００３３】
又、枝葉誘導板は、固定板から独立した板体を取り付ける構成でもよい。この実施の形態を図７に示す。図７は別の実施の形態のヘッジトリマにおける可動刃及び固定板の組立状況を示す分解斜視図である。この実施の形態では一対の可動刃４，５は、上側の固定板３に支持されるもので固定板３に取付けられるカバー８にボルト孔８ａを穿設し、可動刃５の下側に配設する枝葉誘導板２３をボルト１９ａ及びナット９ｂを用いて締結する。
【００３４】
枝葉誘導板２３も、一般切刃４ｂ，５ｂより前方に突出する斜め切欠部２３ｃを形成し、その基部２３ｂにはボルト孔２３ａを穿設する。枝葉誘導板２３はボルト１９ａにスペーサ２０を介在させることで、可動刃４，５から離隔して設置され、これら可動刃４，５が遊動可能となる。
【００３５】
なお、この実施の形態においても可動刃５の先端部には幅広の先端切刃５ｃを設ける。
【００３６】
独立した板体形式の枝葉誘導板の取付方法は、可動刃が遊動可能で、枝葉を切刃間に誘導することができれば上述した例には限定されず、上側固定板３若しくはカバー８に直接取り付ける構成でもよい。
【００３７】
又、このヘッジトリマは可動刃片刃タイプのみならず、両刃タイプでも適用可能である。この実施の形態を図８に示す。図８は可動刃両刃タイプの先端部拡大平面図である。両刃の可動刃３４，３５は、上側固定板３３と下側固定板４３との間に配置されており、一方の可動刃３５の先端部には両側部に幅広の先端切刃３５ｃを設ける。この場合も先端切刃３５ｃは一般切刃３５ｂより前方に突出する切っ先部３５ｄを形成する。
【００３８】
又可動刃３５の下側に位置する下側固定板４３の先端部には一般切刃３４ｂ，３５ｂ及び先端切刃３５ｃより前方に突出する枝葉誘導板４３ｂを設ける。枝葉誘導板４３ｂも切っ先部３５ｄと同様な斜め切欠部４３ｃを形成する。
【産業上の利用可能性】
【００３９】
この発明のヘッジトリマは、エンジンタイプ、電動タイプの何れにも適用可能である。
【図面の簡単な説明】
【００４０】
【図１】ヘッジトリマの可動刃及び固定板の組立状況を示す分解斜視図である。
【図２】上面固定板を省略した可動刃の先端部拡大平面図である。
【図３】下面固定板及び可動刃の先端部拡大底面図である。
【図４】可動刃の摺動状態を示す先端部拡大底面図である。
【図５】可動刃の摺動状態を示す先端部拡大底面図である。
【図６】構築物際の植栽を剪定する場合のヘッジトリマの使用状況の説明図である。
【図７】別の実施の形態のヘッジトリマにおける可動刃及び固定板の組立状況を示す分解斜視図である。
【図８】可動刃両刃タイプの先端部拡大平面図である。
【図９】従来のヘッジトリマの斜視図である。
【図１０】従来の可動刃及び固定板の組立状況を示す分解斜視図である。
【符号の説明】
【００４１】
３  固定板
４  可動刃
４ｂ  切刃
５  可動刃
５ｂ  切刃
５ｃ  先端切刃
５ｄ  切っ先部
５ｅ  切断刃部
１３  固定板
１３ｂ  枝葉誘導板
１３ｃ  斜め切欠部
【図１】
2007259702.tif 000003
【図２】
2007259702.tif 000004
【図３】
2007259702.tif 000005
【図４】
2007259702.tif 000006
【図５】
2007259702.tif 000007
【図６】
2007259702.tif 000008
【図７】
2007259702.tif 000009
【図８】
2007259702.tif 000010
【図９】
2007259702.tif 000011
【図１０】
2007259702.tif 000012